【手続補正書】
【提出日】令和1年12月19日(2019.12.19)
【手続補正１】
【補正対象書類名】特許請求の範囲
【補正対象項目名】全文
【補正方法】変更
【補正の内容】
【特許請求の範囲】
【請求項１】
第１の画像ピーク明度に対応する最大ｌｕｍａコードを有する入力画像のピクセルの入力色から始めて、前記第１の画像ピーク明度とは異なるディスプレイピーク明度を有するディスプレイのために調整される出力画像のピクセルの結果的色を計算する色変換装置において、前記色変換装置は、
メタデータ入力を介して受信される少なくとも１つの輝度マッピング関数を含む色処理仕様データから色変換を決定する色変換決定ユニットであって、前記色処理仕様データが、前記入力画像のピクセルの輝度がどのようにして、その最大ｌｕｍａコードに対応して前記ディスプレイピーク明度及び前記第１の画像ピーク明度とは異なる第２の画像ピーク明度を有する第２の画像のピクセルの輝度に変換されるべきかを指定し、それにより前記第２の画像ピーク明度による前記第１の画像ピーク明度の除算が２より大きいか、又は１／２より小さいかのいずれかである、色変換決定ユニットと、
結果的共通乗法的因子を決定するスケーリング因子決定ユニットであって、前記スケーリング因子決定ユニットが、この結果的共通乗法的因子を、第一に、前記入力画像の輝度にわたる方向に対して直交する垂直方向から非ゼロの反時計回り角度、ディスプレイピーク明度を位置付けるための事前に確立された測定基準、及び前記ディスプレイピーク明度の値と一致する前記測定基準上の位置を有する既定の方向に沿って確立することであって、前記測定基準が、恒等変換関数を表す対角線の位置で始まる、ことと、第二に、前記出力画像のピクセルの前記結果的色の少なくとも輝度を決定するための第２の色変換を確立することであって、前記第２の色変換が前記色変換及び前記位置に基づく、ことと、第三に、前記第２の色変換に基づいて前記結果的共通乗法的因子を決定することとによって、決定する、スケーリング因子決定ユニットと、を備え、前記色変換装置が、
前記入力色の色表現の３つの色成分の各々を前記結果的共通乗法的因子で乗算して前記結果的色を取得するスケーリング乗算器をさらに備えることを特徴とする、色変換装置。
【請求項２】
前記既定の方向が前記垂直方向から反時計回りに４５度である、請求項１に記載の色変換装置。
【請求項３】
前記測定基準の２つの外点がそれぞれ、受信した前記入力画像のピーク明度と、受信したメタデータ内の少なくとも１つのトーンマッピング関数を含む色変換関数を適用することによって、受信した前記入力画像から再構築可能である当該色変換関数により一緒に符号化される画像の他方のピーク明度とに対応し、前記色変換装置が、ピーク明度のその範囲内に入るディスプレイピーク明度を有するディスプレイのために、出力画像を計算する、請求項１又は２に記載の色変換装置。
【請求項４】
前記測定基準が、前記ディスプレイピーク明度の対数表現に基づく、請求項１から３のいずれか一項に記載の色変換装置。
【請求項５】
前記測定基準が、関数Ｙ＝ｌｏｇ１０（１＋（ｒｈｏ（ＰＢ）−１）＊ｐｏｗｅｒ（Ｌ；１／２．４））／ｌｏｇ１０（ｒｈｏ（ＰＢ）を適用することによって取得され得るｌｕｍａ表現など、知覚的に一意化された色表現において規定され、Ｙが知覚的に一意化されたｌｕｍａ値であり、Ｌが輝度であり、ＰＢがピーク明度定数であり、ｒｈｏが等式ｒｈｏ（ＰＢ）＝１＋３２＊ｐｏｗｅｒ（ＰＢ／１００００；１／（２．４））によって決定される曲線形状パラメータである、請求項１から４のいずれか一項に記載の色変換装置。
【請求項６】
前記スケーリング因子決定ユニットがさらに、前記入力画像の作成時に先に決定された第２の色処理仕様データから調整パラメータを取得し、前記ディスプレイピーク明度の前記位置とは異なる前記測定基準上の位置に対応する結果的共通乗法的因子を計算し、前記異なる位置は、前記調整パラメータの値に基づく、請求項１から５のいずれか一項に記載の色変換装置。
【請求項７】
前記スケーリング因子決定ユニットが、少なくとも１つの入力パラメータの関数として前記測定基準上の正規化位置を出力として生み出す単調関数を適用することによって、前記異なる位置を決定し、前記単調関数が、前記色変換装置によって自律的に、又は前記入力画像の作成時に先に決定された、どの関数形状を使用すべきかを指示する指示メタデータに基づいて、決定される、請求項１から６のいずれか一項に記載の色変換装置。
【請求項８】
前記スケーリング乗算器が、３つの非線形色成分を乗算し、前記３つの非線形色成分は、それらのそれぞれの線形色成分、Ｙ’ＣｂＣｒ色成分などの、冪関数として定義される、請求項１から７のいずれか一項に記載の色変換装置。
【請求項９】
前記入力画像内のオブジェクトの色を分析し、そこから、調整パラメータ、又は前記方向、又は前記結果的共通乗法的因子の前記計算において使用されるべき前記測定基準上の正規化位置を出力として生み出す単調関数の形状など、前記出力画像の計算を制御するパラメータのうちの少なくとも１つの値を決定する画像分析ユニットを備える、請求項１から８のいずれか一項に記載の色変換装置。
【請求項１０】
前記入力画像の最も明るい輝度の部分的範囲について前記ディスプレイピーク明度への最小ハードクリッピング量を決定するクリッピング量決定ユニットを備え、前記結果的共通乗法的因子の前記計算が、入力輝度を前記ディスプレイピーク明度にマッピングするために前記部分的範囲内の前記入力画像の輝度について決定される、請求項１から９のいずれか一項に記載の色変換装置。
【請求項１１】
前記結果的共通乗法的因子の前記計算が、粗の輝度マッピング関数及び密の輝度マッピング関数に基づく、前記色変換装置において、まず、ディスプレイ最適の粗のマッピング関数が、実ディスプレイレンダリング状況に対応する前記輝度の最適部分的範囲を決定するために少なくとも前記ディスプレイピーク明度に基づき、決定され、この粗のマッピングが、粗のｌｕｍａを生じる前記入力画像に適用され、次いで密のマッピング関数が、前記密の輝度マッピング関数及び少なくとも前記ディスプレイピーク明度に基づいて最適化され、この密のマッピング関数が前記粗のｌｕｍａに適用されることを特徴とする、請求項１から１０のいずれか一項に記載の色変換装置。
【請求項１２】
前記ディスプレイピーク明度に対応する前記粗の輝度マッピング及び前記密の輝度マッピングが、異なる方向を有する測定基準に沿って決定され、前記粗のマッピングが対角線的に実施され、前記密のマッピングが垂直に実施される、請求項１１に記載の色変換装置。
【請求項１３】
ディスプレイの黒色レベルの推定を確立する黒色レベル推定ユニットを備え、前記結果的共通乗法的因子の前記計算が、前記黒色レベルに依存する、請求項１から１２のいずれか一項に記載の色変換装置。
【請求項１４】
まず、輝度マッピング関数が一定の照明レベルを有する参照観察状況に従って確立され、続いて、この関数が前記黒色レベルの値に対して調節され、調節された前記関数から、前記結果的共通乗法的因子が計算される、請求項１３に記載の色変換装置。
【請求項１５】
請求項１から１４のいずれか一項に記載の色変換装置を備える、ＨＤＲ画像デコーダ。
【請求項１６】
ディスプレイピーク明度を有するディスプレイのために調整される出力画像のピクセルの結果的色を、前記ディスプレイピーク明度とは異なる第１の画像ピーク明度に対応する最大ｌｕｍａコードを有する入力画像のピクセルの入力色から始めて計算する方法において、前記方法は、
メタデータ入力を介して受信される少なくとも１つの輝度マッピング関数を含む色処理仕様データから色変換を決定するステップであって、前記色処理仕様データが、前記入力画像のピクセルの輝度がどのようにして、その最大ｌｕｍａコードに対応して前記ディスプレイピーク明度及び前記第１の画像ピーク明度とは異なる第２の画像ピーク明度を有する第２の画像のピクセルの輝度に変換されるべきかを指定し、それにより前記第２の画像ピーク明度による前記第１の画像ピーク明度の除算が２より大きいか、又は１／２より小さいかのいずれかである、決定するステップと、
Ａ）前記入力画像の輝度にわたる方向に対して直交する垂直方向から非ゼロの反時計回り角度、事前に確立された測定基準、及び前記ディスプレイピーク明度の値と一致するその測定基準上の位置を有する既定の方向に沿って確立することであって、前記測定基準が、入力輝度軸と出力輝度軸との間の対角線の位置で始まる、確立すること、Ｂ）前記出力画像のピクセルの前記結果的色の少なくとも輝度を決定するための第２の色変換を確立することであって、前記第２の色変換が、前記色変換及び前記位置に基づく、確立すること、並びにＣ）前記第２の色変換に基づいて結果的共通乗法的因子を計算することによって、前記結果的共通乗法的因子を決定するステップと、
前記入力色の色表現の３つの色成分の各々を前記結果的共通乗法的因子で乗算して前記結果的色を取得するステップと、を含むことを特徴とする、方法。
【請求項１７】
前記既定の方向が前記垂直方向から反時計回りに４５度である、請求項１６に記載の方法。
【請求項１８】
前記測定基準が、前記ディスプレイピーク明度の対数表現に基づく、請求項１６に記載の方法。
【請求項１９】
前記位置の前記計算が、（（Ｂ−１）／（Ｂ＋１））／（（Ａ−１）／（Ａ＋１））に等しいスケール因子の計算に依存し、Ａは、前記第２の画像ピーク明度により除算された前記第１の画像ピーク明度の値に等しい相対輝度が入力として使用される場合の、形状が前記第２の画像のピーク明度によって決定される既定の対数関数の出力値であり、Ｂは、前記ディスプレイピーク明度により除算された前記第１の画像ピーク明度の値に等しい相対輝度が入力として使用される場合の、形状が前記ディスプレイの前記ピーク明度によって決定される前記既定の対数関数の出力値である、請求項１６に記載の方法。
【請求項２０】
前記位置に等しくない第２の位置が、少なくともいくつかの入力輝度に対して決定される、請求項１６に記載の方法。
【請求項２１】
実行すると、請求項１６から２０のいずれか一項に記載の方法のすべてのステップ、又は対応するステップを、請求項１から１４のいずれか一項に記載の色変換装置又は請求項１５に記載のＨＤＲ画像デコーダに対して適用するコードを含む、コンピュータプログラムメモリ。